(57)【要約】【課題】コンクリート構造物の角部を介して連続する２つの面それぞれに形成される防水層を接続することができて、防水性能を確保することできる防水構造、防水層の施工方法および防水層ピースを提供する。【解決手段】角部２７を介して連続する第１妻面（第１面）２５１と上面（第２面）２３とが形成されたコンクリート構造物２Ｂの防水構造１において、第１妻面２５１に沿って設けられる第１防水層３１と、上面２３に沿って設けられる第２防水層３２と、角部２７に沿って設けられる防水層ピース３３と、を有し、防水層ピース３３は、第１妻面２５１に沿って設けられる第１防水片３３１と、第１防水片３３１と一体化し上面２３に沿って設けられる第２防水片３３２と、を有し、第１防水片３３１と第１防水層３１とは接続され、第２防水片３３２と第２防水層３２とは接続されている。【選択図】図１
2020016113.tif 000002
【特許請求の範囲】
【請求項１】
角部を介して連続する第１面と第２面とが形成されたコンクリート構造物の防水構造において、
前記第１面に沿って設けられる第１防水層と、
前記第２面に沿って設けられる第２防水層と、
前記角部に沿って設けられる防水層ピースと、を有し、
前記防水層ピースは、前記第１面に沿って設けられる第１防水片と、前記第１防水片と一体化し前記第２面に沿って設けられる第２防水片と、を有し、
前記第１防水片と前記第１防水層とは接続され、
前記第２防水片と前記第２防水層とは接続されていることを特徴とする防水構造。
【請求項２】
前記第１防水層は、前記第１面に沿って設けられる不織布と、前記不織布に吹付または塗布された防水材と、を有し、
前記第１防水片は、前記不織布と前記防水材に挟まれていることを特徴とする請求項１に記載の防水構造。
【請求項３】
角部を介して連続する第１面と第２面とが形成されたコンクリート構造物に防水層を設ける防水層の施工方法において、
前記コンクリート構造物のコンクリートの打設に先行して、前記角部が形成される領域に、前記角部に沿った形状の防水層ピースを設ける防水層ピース設置工程と、
前記コンクリート構造物のコンクリートの打設に先行して、前記第１面が形成される領域に前記第１面に沿った第１防水層を形成する第１防水層形成工程と、
前記コンクリート構造物のコンクリートを打設するコンクリート打設工程と、
前記第２面に沿って第２防水層を形成する第２防水層形成工程と、を有し、
前記防水層ピースは、前記第１面に沿って設けられる第１防水片と、前記第１防水片と一体化し前記第２面に沿って設けられる第２防水片と、を有し、
前記第１防水層形成工程では、前記第１防水層を前記第１防水片と接続し、
前記第２防水層形成工程では、前記第２防水層を前記第２防水片と接続することを特徴とする防水層の施工方法。
【請求項４】
角部を介して連続する第１面と第２面とが形成されたコンクリート構造物の前記角部に沿って設けられる防水層ピースであって、
前記第１面に沿って設けられる第１防水片と、
前記第１防水片と一体化し前記第２面に沿って設けられる第２防水片と、を有し、
前記第１防水片は、前記第１面に沿って設けられる第１防水層が接続可能に構成され、
前記第２防水片は、前記第２面に沿って設けられる第２防水層が接続可能に構成されていることを特徴とする防水層ピース。
【発明の詳細な説明】
【技術分野】
【０００１】
本発明は、防水構造、防水層の施工方法および防水層ピースに関する。
【背景技術】
【０００２】
コンクリート構造物の表面には、例えば、塗膜防水層などの防水層が形成されている（例えば、特許文献１参照）。
このような防水層は、コンクリート構造物のコンクリートが打設された後に施工されるが、狭隘な場所などに設けられる場合には、コンクリートの打設に先行して施工されることがある。
コンクリートの打設に先行して防水層を形成する場合、防水層を形成する領域に不織布を設け、この不織布にウレタン樹脂などの防水材を吹付または塗布して塗膜防水層を形成している。そして防水層が形成された後にコンクリート構造物のコンクリートを打設している。
【０００３】
例えば、図４に示すように、コンクリート構造物１０２の妻面１０２ａが他のコンクリート構造物１０５の妻面１０５ａと対向し、その隙間が狭い場合、コンクリート構造物１０２の妻面１０２ａの防水層１０３ａはコンクリートの打設に先行して施工され、コンクリート構造物１０２の上面１０２ｂの防水層１０３ｂはコンクリートの打設の後に施工されることがある。
このような場合には、コンクリート構造物１０２の妻面１０２ａの防水層１０３ａと、妻面１０２ａと角部１２７を介して連続する上面１０２ｂの防水層１０３ｂとは、互いに重なるラップ部１０６を設けて確実に接続するように施工されている。
【０００４】
まず、妻面１０２ａの防水層１０３ａの不織布をコンクリート構造物の上面よりも上側まで延ばし、この不織布に防水材を吹付や塗布して、防水層１０３ａを形成する。続いて、コンクリート構造物１０２のコンクリートを打設する。続いて、コンクリート構造物１０２の上面１０２ｂの防水層１０３ｂを、妻面１０２ａの防水層１０３ａにおけるコンクリート構造物１０２の上面１０２ｂよりも上側の部分と重なるように形成し、上面１０２ｂの防水層１０３ｂと妻面１０２ａの防水層１０３ａとを接続させている。
【先行技術文献】
【特許文献】
【０００５】
【特許文献１】特開２００３−１７２００４号公報
【発明の概要】
【発明が解決しようとする課題】
【０００６】
しかしながら、上面の防水層と妻面の防水層とが重なる部分（ラップ部分）がコンクリート構造物の上面よりも突出していると、後に続く工程において、ラップ部分に仮設部材や建材などが干渉し、損傷してしまう虞がある。これにより、防水層の防水性能に影響が出る虞がある。
【０００７】
そこで、本発明は、コンクリート構造物の角部を介して連続する２つの面それぞれに形成される防水層を接続させることができて、防水性能を確保することできる防水構造、防水層の施工方法および防水層ピースを提供することを目的とする。
【課題を解決するための手段】
【０００８】
上記目的を達成するため、本発明に係る防水構造は、角部を介して連続する第１面と第２面とが形成されたコンクリート構造物の防水構造において、前記第１面に沿って設けられる第１防水層と、前記第２面に沿って設けられる第２防水層と、前記角部に沿って設けられる防水層ピースと、を有し、前記防水層ピースは、前記第１面に沿って設けられる第１防水片と、前記第１防水片と一体化し前記第２面に沿って設けられる第２防水片と、を有し、前記第１防水片と前記第１防水層とは接続され、前記第２防水片と前記第２防水層とは接続されていることを特徴とする。
【０００９】
本発明に係る防水層の施工方法は、角部を介して連続する第１面と第２面とが形成されたコンクリート構造物に防水層を設ける防水層の施工方法において、前記コンクリート構造物のコンクリートの打設に先行して、前記角部が形成される領域に、前記角部に沿った形状の防水層ピースを設ける防水層ピース設置工程と、前記コンクリート構造物のコンクリートの打設に先行して、前記第１面が形成される領域に前記第１面に沿った第１防水層を形成する第１防水層形成工程と、前記コンクリート構造物のコンクリートを打設するコンクリート打設工程と、前記第２面に沿って第２防水層を形成する第２防水層形成工程と、を有し、前記防水層ピースは、前記第１面に沿って設けられる第１防水片と、前記第１防水片と一体化し前記第２面に沿って設けられる第２防水片と、を有し、前記第１防水層形成工程では、前記第１防水層を前記第１防水片と接続し、前記第２防水層形成工程では、前記第２防水層を前記第２防水片と接続することを特徴とする。
【００１０】
本発明に係る防水層ピースは、角部を介して連続する第１面と第２面とが形成されたコンクリート構造物の前記角部に沿って設けられる防水層ピースであって、前記第１面に沿って設けられる第１防水片と、前記第１防水片と一体化し前記第２面に沿って設けられる第２防水片と、を有し、前記第１防水片は、前記第１面に沿って設けられる第１防水層が連設可能に構成され、前記第２防水片は、前記第２面に沿って設けられる第２防水層が連設可能に構成されていることを特徴とする。
【００１１】
本発明では、コンクリート構造物の角部に沿って防水層ピースを設け、防水層ピースの第１防水片を第１面の第１防水層と接続させ、第２防水片を第２面の第２防水層と接続させている。これにより、第１防水層と第２防水層とを防水層ピースを介して接続させることができる。
また、第１防水層をコンクリート構造物のコンクリートの打設に先行して施工し、第２防水層をコンクリート構造物のコンクリートの打設の後に施工する場合に、コンクリート構造物のコンクリートの打設に先行して防水層ピースを設置して、防水層ピースと第１防水層とを接続し、コンクリート構造物のコンクリートの打設の後に、防水層ピースと第２防水層と接続することで、第１防水層と第２防水層とを防水層ピースを介して接続することができる。
また、防水層ピースは、コンクリート構造物の角部に沿った形状でコンクリート構造物の表面から突出していないことにより、後に続く工程において、仮設部材や建材などが防水層ピースと干渉することを抑えることができるため、防水層の防水性能を確保することができる。
【００１２】
また、本発明に係る防水構造では、前記第１防水層は、前記第１面に沿って設けられる不織布と、前記不織布に吹付または塗布された防水材と、を有し、前記第１防水片は、前記不織布と前記防水材に挟まれていてもよい。
このような構成とすることにより、第１防水層と第１防水片とを確実に接続することができる。
【発明の効果】
【００１３】
本発明によれば、コンクリート構造物の角部を介して連続する２つの面それぞれに形成される防水層を接続させることができて、防水性能を確保することできる。
【図面の簡単な説明】
【００１４】
【図１】本発明の実施形態による防水構造の一例を示す図である。
【図２】本発明の実施形態による防水層の施工方法の防水層ピース設置工程および第１防水層形成工程を示す図である。
【図３】本発明の実施形態による防水層の施工方法のコンクリート打設工程を示す図である。
【図４】従来の防水構造の一例を示す図である。
【発明を実施するための形態】
【００１５】
以下、本発明の実施形態による防水構造、防水層の施工方法および防水層ピースについて、図１乃至図３に基づいて説明する。
図１に示すように、本実施形態による防水構造１は、コンクリート構造物２の表面に設けられている。
コンクリート構造物２は、例えばボックスカルバートなどで、互いの妻面２５，２５を対向させるように複数連なって設けられている。本実施形態では、隣り合うコンクリート構造物２，２は、可とう継手２１で接合され、対向する妻面２５の間に目地２２が設けられている。
複数のコンクリート構造物２，２は、施工時に配列の一方側から他方側に向かって順次施工される。本実施形態の防水構造は、先行して構築されたコンクリート構造物２（いか、コンクリート構造物２Ａとする）の後に構築されるコンクリート構造物２（以下、コンクリート構造物２Ｂとする）の防水構造となっている。
【００１６】
コンクリート構造物２Ｂは、外形が略直方体となるように形成されている。コンクリート構造物２Ｂの表面は、略水平面となる上面（第２面）２３、下面２４、略鉛直面となり隣り合うコンクリート構造物２と対向する２つの妻面２５，２５、略鉛直面となり２つの妻面２５，２５が向く方向と直交する方向を向く２つの側面２６，２６と、を有している。下面２４は、ボックスカルバートの内面であり、その下側はボックスカルバートの内部空間である。
【００１７】
２つの妻面２５，２５のうち、先行して構築されたコンクリート構造物２Ａの妻面２５と対向する妻面２５を第１妻面（第１面）２５１とし、その反対側の妻面２５を第２妻面（不図示）とする。
第１妻面２５１は、先行して構築されたコンクリート構造物２Ａの妻面２５と目地２２を介して対向している。
第１妻面２５１の上縁部２５１ａと、上面２３の第１妻面２５１側の縁部２３ａとは、角部２７を介して連続している。
【００１８】
コンクリート構造物２Ｂには、下面２４以外の表面全体に防水層３が形成されている。コンクリート構造物２Ｂの防水層３は、例えばウレタン樹脂などの防水材を吹付または塗布した塗膜防水層となっている。
防水層３のうち、第１妻面２５１に沿って設けられる部分を第１防水層３１とし、上面２３に沿って設けられる部分を第２防水層３２とする。また、第１妻面２５１と上面２３との角部２７には、防水層３の一部となる防水層ピース３３が設けられている。
【００１９】
防水層ピース３３は、防水材で形成された部材で、第１妻面２５１と上面２３との角部２７全体にわたって設けられている。防水層ピース３３は、第１妻面２５１の上縁部２５１ａの近傍に沿って設けられる第１防水片３３１と、上面２３の第１妻面２５１側の縁部２３ａの近傍に沿って設けられる第２防水片３３２と、を有している。第１防水片３３１と第２防水片３３２とは一体に形成され、Ｌ字形の外形となっている。
防水層ピース３３は、型枠に防水材を吹き付けることで形成されている。
【００２０】
第１防水層３１は、第１妻面２５１に沿って設けられた不織布３１１と、不織布３１１の全面に塗布または吹付されたウレタン樹脂などの防水材３１２と、を有している。第１防水層３１の上縁部分３１ａは、第１妻面２５１の上縁部２５１ａまで達しておらず、第１妻面２５１の上縁部２５１ａよりも下側に配置されている。
第１防水層３１の上縁部分３１ａは、防水層ピース３３の第１防水片３３１の下縁部分３３１ａと接続されている。
【００２１】
本実施形態では、第１防水層３１の不織布３１１の上縁部分３１１ａと防水材３１２の上縁部分３１２ａとの間に防水層ピース３３の第１防水片３３１の下縁部分３３１ａが挟まれている。第１防水片３３１の下縁部分３３１ａは、その上側部分３３１ｂよりも薄く形成されている。第１防水片３３１は、下縁部分３３１ａが不織布３１１と防水材３１２に挟まれると、上側部分３３１ｂにおける第１妻面２５１側の面３３１ｃが、防水材３１２の第１妻面２５１側の面３１２ｂと面一となり、上側部分３３１ｂにおける目地２２側の面３３１ｄが不織布３１１の目地２２側の面３１１ｂと面一となるように構成されている。
【００２２】
第２防水層３２は、コンクリート構造物２Ｂの上面２３に塗布または吹付されたウレタン樹脂などの防水材で形成されている。第２防水層３２は、コンクリート構造物２Ｂの上面２３の全体に設けられている。
第２防水層３２の第１妻面２５１側の縁部３２ａの近傍は、防水層ピース３３の第２防水片３３２と、上下方向に重なって接続されている。
第１防水層３１と第２防水層３２とは、防水層ピース３３を介して接続されている。
【００２３】
第１妻面２５１は、目地２２を介して先行して構築されたコンクリート構造物２Ａのコンクリート構造物２Ｂ側の妻面２５と対向している。このため、第１防水層３１は、コンクリート構造物２Ｂのコンクリートが打設された後では、その施工スペースを確保することが困難である。このため、第１防水層３１は、コンクリート構造物２Ｂのコンクリートが打設される前に施工されるように構成されている。
コンクリート構造物２Ｂの防水層３のうち、第１防水層３１以外は、コンクリート構造物２Ｂのコンクリートの打設の後に施工されるように構成されている。
【００２４】
次に、本実施形態によるコンクリート構造物の防水層の施工方法について説明する。
まず、図１に示すように、コンクリート構造物２Ｂのコンクリートの打設に先行して、防水層ピース３３を設置する（防水層ピース設置工程）。
先行して構築されたコンクリート構造物２Ａの頂部から後から施工されるコンクリート構造物２Ｂ側に型枠４を張り出し、この型枠４に防水層ピース３３を固定する。防水層ピース３３は、コンクリート構造物２Ｂの角部２７に対応する位置に配置する。
【００２５】
続いて、第１防水層３１を形成する（第１防水層形成工程）。
目地２２に沿って不織布３１１を設け、不織布３１１に防水材３１２を吹き付ける。第１防水層３１は、コンクリート構造物２Ｂの第１妻面２５１に対応する位置に形成する。
このとき、不織布３１１の上縁部分３１１ａと防水材３１２の上縁部分３１２ａとで第１防水片３３１の下縁部分３３１ａを挟んだ状態とし、第１防水層３１と防水層ピース３３とを隙間なく接続する。
【００２６】
続いて、図３に示すように、コンクリート構造物２Ｂのコンクリートを打設する（コンクリート打設工程）。
コンクリート構造物２Ｂの型枠（不図示）を設置し、コンクリートを打設する。コンクリート構造物２Ｂの第１妻面２５１に第１防水層３１が沿って配置され、コンクリート構造物２Ｂの第１妻面２５１と上面２３との間の角部２７に防水層ピース３３が沿って配置されるようにコンクリート構造物２Ｂを構築する。
【００２７】
続いて、第２防水層３２を形成する（第２防水層形成工程）。
コンクリート構造物２Ｂが構築されたら、型枠４を外し、図１に示すように、コンクリート構造物２Ｂの上面２３の全体に防水材を吹付または塗布して第２防水層３２を形成する。第２防水層３２の第１妻面２５１側の縁部３２ａの近傍を、防水層ピース３３の第２防水片３３２と上下に重ね、第２防水層３２と防水層ピース３３の第２防水片３３２とを隙間なく接続する。
第２防水層３２の形成と前後して、または同時にコンクリート構造物２Ｂの側面２６および第２妻面（不図示）に防水層３を形成する。
このようにして、コンクリート構造物２Ｂの防水層３が形成される。
【００２８】
次に、上述した本実施形態による防水構造、防水層の施工方法および防水層ピースの作用・効果について図面を用いて説明する。
上述した本実施形態による防水構造１、防水層３の施工方法および防水層ピース３３では、コンクリート構造物２Ｂの角部２７に沿って防水層ピース３３を設け、防水層ピース３３の第１防水片３３１を第１妻面２５１の第１防水層３１と接続し、第２防水片３３２を上面２３の第２防水層３２と接続している。これにより、第１防水層３１と第２防水層３２とを防水層ピース３３を介して接続することができる。
【００２９】
また、第１防水層３１をコンクリート構造物２Ｂのコンクリートの打設に先行して施工し、第２防水層３２をコンクリート構造物２Ｂのコンクリートの打設の後に施工する場合に、コンクリート構造物２Ｂのコンクリートの打設に先行して防水層ピース３３を設置して、防水層ピース３３と第１防水層３１とを接続し、コンクリート構造物２Ｂのコンクリートの打設の後に、防水層ピース３３と第２防水層３２と接続することで、第１防水層３１と第２防水層３２とを防水層ピース３３を介して接続することができる。
【００３０】
また、防水層ピース３３は、コンクリート構造物２Ｂの角部２７に沿った形状でコンクリート構造物２Ｂの表面から突出していないことにより、後に続く工程において、仮設部材や建材などが防水層ピース３３と干渉することを抑えることができるため、防水層３の防水性能を確保することができる。
また、本実施形態では、不織布３１１の上縁部分３１１ａと防水材３１２の上縁部分３１２ａとで第１防水片３３１の下縁部分３３１ａを挟んだ状態とし、第１防水層３１と第１防水片３３１とを隙間なく接続させている。これにより、第１防水層３１と防水層ピース３３とを確実に接続することができる。
【００３１】
以上、本発明による防水構造１、防水層３の施工方法および防水層ピース３３の実施形態について説明したが、本発明は上記の実施形態に限定されるものではなく、その趣旨を逸脱しない範囲で適宜変更可能である。
例えば、上記の実施形態では、不織布３１１の上縁部分３１１ａと防水材３１２の上縁部分３１２ａとで防水層ピース３３の第１防水片３３１の下縁部分３３１ａを挟んだ状態とし、第１防水層３１と第１防水片３３１とを隙間なく接続させているが、第１防水層３１と第１防水片３３１との接続は適宜設定されてよい。
また、上記の実施形態では、第２防水層３２の第１妻面２５１側の縁部３２ａの近傍を、防水層ピース３３の第２防水片３３２と上下に重ね、第２防水層３２と第２防水片３３２とを隙間なく接続させているが、第２防水層３２と第２防水片３３２との接続は適宜設定されてよい。
【００３２】
また、上記の実施形態では、コンクリート構造物２Ｂの第１妻面２５１に第１防水層３１が形成され、上面２３に第２防水層３２が形成され、第１妻面２５１と上面２３との間の角部２７に防水層ピース３３が設置されているが、コンクリート構造物２Ｂのコンクリートの打設に先行して第１防水層３１が形成される面（第１面）、およびコンクリートの打設の後に第２防水層３２が形成される面（第２面）は、角部２７を介して連続していれば、適宜設定されてよい。また、コンクリート構造物２Ｂの形態は、適宜設定されてよい。
また、上記の実施形態では、第１防水層３１、第２防水層３２は、防水材を吹付または塗布した塗膜防水層であるが、塗膜防水層以外の防水層３であってもよい。
【符号の説明】
【００３３】
１  防水構造
２，２Ａ，２Ｂ  コンクリート構造物
３  防水層
２３  上面（第２面）
２７  角部
３１  第１防水層
３２  第２防水層
３３  防水層ピース
２５１  第１妻面（第１面）
３３１  第１防水片
３３２  第２防水片
【図１】
2020016113.tif 000003
【図２】
2020016113.tif 000004
【図３】
2020016113.tif 000005
【図４】
2020016113.tif 000006